(57)【特許請求の範囲】
【請求項１】
マクロセルを管理するマクロセル用無線基地局及びホームセルを管理するホームセル用無線基地局が混在する移動通信システムであって、
前記マクロセルを識別するためのセル識別子は、前記マクロセル用無線基地局に割り当てられているマクロセル用無線基地局識別子及び該マクロセル用無線基地局内で該マクロセルに割り当てられているマクロセル識別子のみによって構成されており、
前記ホームセルを識別するためのセル識別子は、前記ホームセル用無線基地局に割り当てられているホームセル用無線基地局識別子のみによって構成されており、
前記ホームセル用無線基地局が、複数のホームセルを管理する場合、該ホームセル用無線基地局に対して、複数のホームセル用無線基地局識別子を割り当てるように構成されており、
前記ホームセル用無線基地局は、移動管理ノード或いはゲートウェイ装置に対して、コネクション設定要求或いは設定変更通知によって、割り当てられている前記複数のホームセル用無線基地局識別子を通知するように構成されていることを特徴とする移動通信システム。
【請求項２】
マクロセルを管理するマクロセル用無線基地局及びホームセルを管理するホームセル用無線基地局が混在する移動通信システムであって、
前記マクロセルを識別するためのセル識別子は、前記マクロセル用無線基地局に割り当てられているマクロセル用無線基地局識別子及び該マクロセル用無線基地局内で該マクロセルに割り当てられているマクロセル識別子のみによって構成されており、
前記ホームセルを識別するためのセル識別子は、前記ホームセル用無線基地局に割り当てられているホームセル用無線基地局識別子のみによって構成されており、
前記ホームセル用無線基地局が、複数のホームセルを管理する場合、該ホームセル用無線基地局に対して、複数のホームセル用無線基地局識別子を割り当てるように構成されており、
前記ホームセル用無線基地局は、周辺の無線基地局に対して、コネクション設定要求、コネクション設定応答或いは設定変更通知によって、割り当てられている前記複数のホームセル用無線基地局識別子を通知するように構成されていることを特徴とする移動通信システム。
【請求項３】
ホームセルを管理するホームセル用無線基地局であって、
前記ホームセルを識別するためのセル識別子を管理するように構成されている管理部を具備し、
前記セル識別子は、前記ホームセル用無線基地局に割り当てられているホームセル用無線基地局識別子のみによって構成されており、
前記ホームセル用無線基地局が、前記管理部は、該複数のホームセルの各々に対応する複数の前記ホームセル用無線基地局識別子を管理するように構成されており、
移動管理ノード或いはゲートウェイ装置に対して、コネクション設定要求或いは設定変更通知によって、前記管理部によって管理されている前記複数のホームセル用無線基地局識別子を通知するように構成されている第１インターフェイスを具備することを特徴とするホームセル用無線基地局。
【請求項４】
ホームセルを管理するホームセル用無線基地局であって、
前記ホームセルを識別するためのセル識別子を管理するように構成されている管理部を具備し、
前記セル識別子は、前記ホームセル用無線基地局に割り当てられているホームセル用無線基地局識別子のみによって構成されており、
前記ホームセル用無線基地局が、前記管理部は、該複数のホームセルの各々に対応する複数の前記ホームセル用無線基地局識別子を管理するように構成されており、
周辺の無線基地局に対して、コネクション設定要求、コネクション設定応答或いは設定変更通知によって、前記管理部によって管理されている前記複数のホームセル用無線基地局識別子を通知するように構成されている第２インターフェイスを具備することを特徴とするホームセル用無線基地局。
【発明の詳細な説明】
【技術分野】
【０００１】
本発明は、移動通信システム及びホームセル用無線基地局に関する。
【背景技術】
【０００２】
現在のＬＴＥ（Ｌｏｎｇ  Ｔｅｒｍ  Ｅｖｏｌｕｔｉｏｎ）方式では、ホームセルを管理するホームセル用無線基地局ＨｅＮＢ（Ｈｏｍｅ  ｅＮＢ）は、１つのホームセルしか管理することができないように構成されている。
【０００３】
図８に、ＬＴＥ方式におけるＥ-ＣＧＩ（ＥＵＴＲＡＮ-Ｃｅｌｌ  Ｇｌｏｂａｌ  Ｉｄｅｎｔｉｆｉｅｒ）の構成について示す。
【０００４】
図８に示すように、Ｅ-ＣＧＩは、２４ビットの「ＰＬＭＮ（Ｐｕｂｌｉｃ  Ｌａｎｄ  Ｍｏｂｉｌｅ  Ｎｅｔｗｏｒｋ）  Ｉｄｅｎｔｉｔｙ」、及び、２８ビットの「Ｃｅｌｌ  Ｉｄｅｎｔｉｔｙ」のみによって構成されている。
【０００５】
ここで、マクロセルを識別するための「Ｃｅｌｌ  Ｉｄｅｎｔｉｔｙ」は、かかるマクロセルを管理するマクロセル用無線基地局ｅＮＢに割り当てられている「Ｍａｃｒｏ  ｅＮＢ  ＩＤ（２０ビット）」、及び、かかるマクロセル用無線基地局ｅＮＢ内で当該マクロセルに割り当てられている「Ｍａｃｒｏ  Ｃｅｌｌ  Ｉｄｅｎｔｉｔｙ（８ビット）」のみによって構成されている。
【０００６】
一方、ホームセルを識別するための「Ｃｅｌｌ  Ｉｄｅｎｔｉｔｙ」は、かかるホームセルを管理するホームセル用無線基地局ＨｅＮＢに割り当てられている「Ｈｏｍｅ  ｅＮＢ  ＩＤ（２８ビット）」のみによって構成されている。
【先行技術文献】
【非特許文献】
【０００７】
【非特許文献１】３ＧＰＰ  ＴＳ３６.３００（Ｖ９.４.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２０１０年６月
【非特許文献２】３ＧＰＰ  ＴＳ３６.４１３（Ｖ９.３.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｓ１  ａｐｐｌｉｃａｔｉｏｎ  ｐｒｏｔｏｃｏｌ  （Ｓ１ＡＰ）」、２０１０年６月
【非特許文献３】３ＧＰＰ  ＴＳ３６.４２３（Ｖ９.３.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｘ２  ａｐｐｌｉｃａｔｉｏｎ  ｐｒｏｔｏｃｏｌ  （Ｘ２ＡＰ）」、２０１０年６月
【発明の概要】
【発明が解決しようとする課題】
【０００８】
しかしながら、ＬＴＥ方式の後継方式であるＬＴＥ-Ａｄｖａｎｃｅｄ方式では、ＣＡ（Ｃａｒｒｉｅｒ  Ａｇｇｒｅｇａｔｉｏｎ）等の技術を用いることができるため、ホームセル用無線基地局ＨｅＮＢが複数のホームセルを管理することに対する期待が高まってきている。
【０００９】
そこで、本発明は、上述の課題に鑑みてなされたものであり、「Ｈｏｍｅ  ｅＮＢ  ＩＤ」のアドレス体系を変更することなく、ホームセル用無線基地局ＨｅＮＢが、複数のホームセルを管理することができる移動通信システム及びホームセル用無線基地局を提供することを目的とする。
【課題を解決するための手段】
【００１０】
本発明の第１の特徴は、マクロセルを管理するマクロセル用無線基地局及びホームセルを管理するホームセル用無線基地局が混在する移動通信システムであって、前記マクロセルを識別するためのセル識別子は、前記マクロセル用無線基地局に割り当てられているマクロセル用無線基地局識別子及び該マクロセル用無線基地局内で該マクロセルに割り当てられているマクロセル識別子のみによって構成されており、前記ホームセルを識別するためのセル識別子は、前記ホームセル用無線基地局に割り当てられているホームセル用無線基地局識別子のみによって構成されており、前記ホームセル用無線基地局が、複数のホームセルを管理する場合、該ホームセル用無線基地局に対して、複数のホームセル用無線基地局識別子を割り当てるように構成されていることを要旨とする。
【００１１】
本発明の第２の特徴は、ホームセルを管理するホームセル用無線基地局であって、前記ホームセルを識別するためのセル識別子を管理するように構成されている管理部を具備し、前記セル識別子は、前記ホームセル用無線基地局に割り当てられているホームセル用無線基地局識別子のみによって構成されており、前記ホームセル用無線基地局が、前記管理部は、該複数のホームセルの各々に対応する複数の前記ホームセル用無線基地局識別子を管理するように構成されていることを要旨とする。
【発明の効果】
【００１２】
以上説明したように、本発明によれば、「Ｈｏｍｅ  ｅＮＢ  ＩＤ」のアドレス体系を変更することなく、ホームセル用無線基地局ＨｅＮＢが、複数のホームセルを管理することができる移動通信システム及びホームセル用無線基地局を提供することができる。
【図面の簡単な説明】
【００１３】
【図１】本発明の第１の実施形態に係る移動通信システムの全体構成図である。
【図２】本発明の第１の実施形態に係るホームセル用無線基地局の機能ブロック図である。
【図３】本発明の第１の実施形態に係る移動通信システムで用いられる「Ｓ１  Ｓｅｔｕｐ  Ｒｅｑｕｅｓｔ」及び「Ｓ１  ｅＮＢ  Ｃｏｎｆｉｇｕｒａｔｉｏｎ  Ｕｐｄａｔｅ」のフォーマットの一例を示す図である。
【図４】本発明の第１の実施形態に係る移動通信システムで用いられる「Ｓ１  Ｓｅｔｕｐ  Ｒｅｑｕｅｓｔ」及び「Ｓ１  ｅＮＢ  Ｃｏｎｆｉｇｕｒａｔｉｏｎ  Ｕｐｄａｔｅ」のフォーマットの一例を示す図である。
【図５】本発明の第１の実施形態に係る移動通信システムで用いられる「Ｘ２  Ｓｅｔｕｐ  Ｒｅｑｕｅｓｔ」及び「Ｘ２  Ｓｅｔｕｐ  Ｒｅｓｐｏｎｓｅ」のフォーマットの一例を示す図である。
【図６】本発明の第１の実施形態に係る移動通信システムで用いられる「Ｘ２  Ｓｅｔｕｐ  Ｒｅｑｕｅｓｔ」及び「Ｘ２  Ｓｅｔｕｐ  Ｒｅｓｐｏｎｓｅ」内の情報要素「Ｓｅｒｖｅｄ  Ｃｅｌｌ  Ｉｎｆｏｒｍａｔｉｏｎ」のフォーマットの一例を示す図である。
【図７】本発明の第１の実施形態に係る移動通信システムで用いられる「Ｘ２  ｅＮＢ  Ｃｏｎｆｉｇｕｒａｔｉｏｎ  Ｕｐｄａｔｅ」のフォーマットの一例を示す図である。
【図８】ＬＴＥ方式におけるＥ-ＣＧＩの構成について説明するための図である。
【発明を実施するための形態】
【００１４】
（本発明の第１の実施形態に係る移動通信システム）
図１乃至図７を参照して、本発明の第１の実施形態に係る移動通信システムについて説明する。
【００１５】
図１に示すように、本実施形態に係る移動通信システムは、移動管理ノードＭＭＥ（Ｍｏｂｉｌｉｔｙ  Ｍａｎａｇｅｍｅｎｔ  Ｅｎｔｉｔｙ）と、ゲートウェイ装置ＨｅＮＢ-ＧＷと、ホームセル用無線基地局ＨｅＮＢ＃１と、ホームセル用無線基地局ＨｅＮＢ＃２と、マクロセル用無線基地局ｅＮＢ＃１とを具備している。
【００１６】
ホームセル用無線基地局ＨｅＮＢ＃１は、ゲートウェイ装置ＨｅＮＢ-ＧＷに収容されており、ホームセル＃１１/＃１２を管理するように構成されている。
【００１７】
ホームセル用無線基地局ＨｅＮＢ＃２は、ゲートウェイ装置ＨｅＮＢ-ＧＷを介することなく、移動管理ノードＭＭＥに収容されており、ホームセル＃２０を管理するように構成されている。
【００１８】
マクロセル用無線基地局ｅＮＢ＃１は、ゲートウェイ装置ＨｅＮＢ-ＧＷを介することなく、移動管理ノードＭＭＥに収容されており、マクロセル＃１を管理するように構成されている。
【００１９】
なお、ホームセル用無線基地局ＨｅＮＢ＃１とホームセル用無線基地局ＨｅＮＢ＃２との間、及び、ホームセル用無線基地局ＨｅＮＢ＃２とマクロセル用無線基地局ｅＮＢ＃１との間は、Ｘ２インターフェイスを介して接続されるように構成されている。
【００２０】
また、ホームセル用無線基地局ＨｅＮＢ＃１とゲートウェイ装置ＨｅＮＢ-ＧＷとの間、ゲートウェイ装置ＨｅＮＢ-ＧＷと移動管理ノードＭＭＥとの間、ホームセル用無線基地局ＨｅＮＢ＃２と移動管理ノードＭＭＥとの間、及び、マクロセル用無線基地局ｅＮＢ＃１と移動管理ノードＭＭＥとの間は、Ｓ１インターフェイスを介して接続されるように構成されている。
【００２１】
図２に示すように、ホームセル用無線基地局ＨｅＮＢ＃１は、管理部１１と、Ｓ１インターフェイス１２と、Ｘ２インターフェイス１３とを具備している。
【００２２】
本実施形態では、ホームセル用無線基地局ＨｅＮＢ＃１は、複数のホームセル＃１１/＃１２を管理するように構成されているものとする。
【００２３】
したがって、本実施形態に係る移動通信システムは、ホームセル用無線基地局ＨｅＮＢ＃１に対して、複数の「Ｈｏｍｅ  ｅＮＢ  ＩＤ（２８ビット）」を割り当てるように構成されている。
【００２４】
例えば、本実施形態に係る移動通信システムは、ホームセル用無線基地局ＨｅＮＢ＃１に対して、ホームセル＃１１に対応する「Ｈｏｍｅ  ｅＮＢ  ＩＤ」として「＃１１」を割り当て、ホームセル＃１２に対応する「Ｈｏｍｅ  ｅＮＢ  ＩＤ」として「＃１２」を割り当てるように構成されている。
【００２５】
管理部１１は、ホームセル用無線基地局ＨｅＮＢ＃１によって管理されているホームセル＃１１/＃１２を識別するための「Ｃｅｌｌ  Ｉｄｅｎｔｉｔｙ」を管理するように構成されている。
【００２６】
ここで、ホームセル＃１１を識別するための「Ｃｅｌｌ  Ｉｄｅｎｔｉｔｙ」は、ホームセル＃１１に対応する「Ｈｏｍｅ  ｅＮＢ  ＩＤ」によって構成されており、ホームセル＃１２を識別するための「Ｃｅｌｌ  Ｉｄｅｎｔｉｔｙ」は、ホームセル＃１２に対応する「Ｈｏｍｅ  ｅＮＢ  ＩＤ」によって構成されている。
【００２７】
Ｓ１インターフェイス１２は、ゲートウェイ装置ＨｅＮＢ-ＧＷ（或いは、移動管理ノードＭＭＥ）との間のインターフェイスの役割を果たす。
【００２８】
ここで、Ｓ１インターフェイス１２は、「Ｓ１  Ｓｅｔｕｐ  Ｒｅｑｕｅｓｔ」或いは「Ｓ１  ｅＮＢ  Ｃｏｎｆｉｇｕｒａｔｉｏｎ  Ｕｐｄａｔｅ」によって、ホームセル用無線基地局ＨｅＮＢ＃１に割り当てられている複数の「Ｈｏｍｅ  ｅＮＢ  ＩＤ」を通知するように構成されていてもよい。
【００２９】
例えば、図３に示すように、Ｓ１インターフェイス１２は、３ＧＰＰのＴＳ３６.４１３に規定されている「Ｓ１  Ｓｅｔｕｐ  Ｒｅｑｕｅｓｔ」或いは「Ｓ１  ｅＮＢ  Ｃｏｎｆｉｇｕｒａｔｉｏｎ  Ｕｐｄａｔｅ」内の情報要素「Ｇｌｏｂａｌ  ｅＮＢ  ＩＤ」によって、１つの「Ｈｏｍｅ  ｅＮＢ  ＩＤ（＃１１）」を通知するように構成されている。
【００３０】
具体的には、かかる情報要素「Ｇｌｏｂａｌ  ｅＮＢ  ＩＤ」には、ホームセル＃１１を識別する「Ｅ-ＣＧＩ」が設定される。
【００３１】
そして、図３に示すように、Ｓ１インターフェイス１２は、かかる「Ｓ１  Ｓｅｔｕｐ  Ｒｅｑｕｅｓｔ」或いは「Ｓ１  ｅＮＢ  Ｃｏｎｆｉｇｕｒａｔｉｏｎ  Ｕｐｄａｔｅ」を拡張して、情報要素「ＨｅＮＢのＧｌｏｂａｌ  ｅＮＢ  ＩＤｓ」を新たに設けて、かかる情報要素「ＨｅＮＢのＧｌｏｂａｌ  ｅＮＢ  ＩＤｓ」内の「Ｇｌｏｂａｌ  ｅＮＢ  ＩＤ」によって、残りの「Ｈｏｍｅ  ｅＮＢ  ＩＤ（＃１２）」を通知するように構成されている。
【００３２】
具体的には、かかる情報要素「ＨｅＮＢのＧｌｏｂａｌ  ｅＮＢ  ＩＤｓ」内の「Ｇｌｏｂａｌ  ｅＮＢ  ＩＤ」には、ホームセル＃１２を識別する「Ｅ-ＣＧＩ」が設定される。
【００３３】
或いは、図４に示すように、Ｓ１インターフェイス１２は、３ＧＰＰのＴＳ３６.４１３に規定されている「Ｓ１  Ｓｅｔｕｐ  Ｒｅｑｕｅｓｔ」或いは「Ｓ１  ｅＮＢ  Ｃｏｎｆｉｇｕｒａｔｉｏｎ  Ｕｐｄａｔｅ」を拡張して、情報要素「ＨｅＮＢのＧｌｏｂａｌ  ｅＮＢ  ＩＤｓ」を新たに設けて、かかる情報要素「ＨｅＮＢのＧｌｏｂａｌ  ｅＮＢ  ＩＤｓ」内の「Ｇｌｏｂａｌ  ｅＮＢ  ＩＤ」によって、全ての「Ｈｏｍｅ  ｅＮＢ  ＩＤ（＃１１/＃１２）」を通知するように構成されていてもよい。
【００３４】
具体的には、かかる情報要素「Ｇｌｏｂａｌ  ｅＮＢ  ＩＤ」には、ホームセル＃１１/＃１２を識別する「Ｅ-ＣＧＩ」が設定される。
【００３５】
Ｘ２インターフェイス１３は、周辺のホームセル用無線基地局ＨｅＮＢ＃２（或いは、周辺のマクロセル用無線基地局ｅＮＢ＃１）との間のインターフェイスの役割を果たす。
【００３６】
ここで、Ｘ２インターフェイス１３は、「Ｘ２  Ｓｅｔｕｐ  Ｒｅｑｕｅｓｔ」、「Ｘ２  Ｓｅｔｕｐ  Ｒｅｓｐｏｎｓｅ」或いは「Ｘ２  ｅＮＢ  Ｃｏｎｆｉｇｕｒａｔｉｏｎ  Ｕｐｄａｔｅ」によって、ホームセル用無線基地局ＨｅＮＢ＃１に割り当てられている複数の「Ｈｏｍｅ  ｅＮＢ  ＩＤ」を通知するように構成されていてもよい。
【００３７】
例えば、図５に示すように、Ｘ２インターフェイス１３は、３ＧＰＰのＴＳ３６.４２３に規定されている「Ｘ２  Ｓｅｔｕｐ  Ｒｅｑｕｅｓｔ」或いは「Ｘ２  Ｓｅｔｕｐ  Ｒｅｓｐｏｎｓｅ」を拡張して、情報要素「Ｅｑｕｉｖａｌｅｎｔ  Ｓｅｒｖｅｄ  Ｃｅｌｌｓ」を新たに設けてもよい。
【００３８】
そして、図５及び図６に示すように、Ｘ２インターフェイス１３は、かかる情報要素「Ｅｑｕｉｖａｌｅｎｔ  Ｓｅｒｖｅｄ  Ｃｅｌｌｓ」内の情報要素「Ｓｅｒｖｅｄ  Ｃｅｌｌ  Ｉｎｆｏｒｍａｔｉｏｎ」内の情報要素「Ｃｅｌｌ  ＩＤ」によって、全ての「Ｈｏｍｅ  ｅＮＢ  ＩＤ（＃１１/＃１２）」を通知するように構成されていてもよい。
【００３９】
具体的には、かかる情報要素「Ｃｅｌｌ  ＩＤ」には、ホームセル＃１１/＃１２を識別する「Ｅ-ＣＧＩ」が設定される。
【００４０】
また、図５に示すように、Ｘ２インターフェイス１３は、かかる情報要素「Ｅｑｕｉｖａｌｅｎｔ  Ｓｅｒｖｅｄ  Ｃｅｌｌｓ」内の情報要素「Ｅｑｕｉｖａｌｅｎｔ  Ｎｅｉｇｈｂｏｕｒ  Ｉｎｆｏｒｍａｔｉｏｎ」内の情報要素「ＥＣＧＩ」によって、周辺のホームセル用無線基地局ＨｅＮＢに対して割り当てられている全ての「Ｈｏｍｅ  ｅＮＢ  ＩＤ」を通知するように構成されていてもよい。
【００４１】
具体的には、かかる情報要素「ＥＣＧＩ」には、周辺のホームセル用無線基地局ＨｅＮＢによって管理されているホームセルを識別する「Ｅ-ＣＧＩ」が設定される。
【００４２】
また、図７に示すように、Ｘ２インターフェイス１３は、３ＧＰＰのＴＳ３６.４２３に規定されている「Ｘ２  ｅＮＢ  Ｃｏｎｆｉｇｕｒａｔｉｏｎ  Ｕｐｄａｔｅ」を拡張して、情報要素「Ｅｑｕｉｖａｌｅｎｔ  Ｓｅｒｖｅｄ  Ｃｅｌｌｓ  Ｔｏ  Ａｄｄ」や「Ｅｑｕｉｖａｌｅｎｔ  Ｓｅｒｖｅｄ  Ｃｅｌｌｓ  Ｔｏ  Ｍｏｄｉｆｙ」や「Ｅｑｕｉｖａｌｅｎｔ  Ｓｅｒｖｅｄ  Ｃｅｌｌｓ  Ｔｏ  Ｄｅｌｅｔｅ」を新たに設けてもよい。
【００４３】
そして、図６及び図７に示すように、Ｘ２インターフェイス１３は、かかる情報要素「Ｅｑｕｉｖａｌｅｎｔ  Ｓｅｒｖｅｄ  Ｃｅｌｌｓ  Ｔｏ  Ａｄｄ」や「Ｅｑｕｉｖａｌｅｎｔ  Ｓｅｒｖｅｄ  Ｃｅｌｌｓ  Ｔｏ  Ｍｏｄｉｆｙ」や「Ｅｑｕｉｖａｌｅｎｔ  Ｓｅｒｖｅｄ  Ｃｅｌｌｓ  Ｔｏ  Ｄｅｌｅｔｅ」内の情報要素「Ｓｅｒｖｅｄ  Ｃｅｌｌ  Ｉｎｆｏｒｍａｔｉｏｎ」内の情報要素「Ｃｅｌｌ  ＩＤ」によって、該当するホームセルに対応する「Ｈｏｍｅ  ｅＮＢ  ＩＤ（＃１１/＃１２）」を通知するように構成されていてもよい。
【００４４】
具体的には、かかる情報要素「Ｃｅｌｌ  ＩＤ」には、対象のホームセル＃１１/＃１２を識別する「Ｅ-ＣＧＩ」が設定される。
【００４５】
なお、Ｘ２インターフェイス１３は、周辺のホームセル用無線基地局ＨｅＮＢ＃２から受信した「Ｘ２  Ｓｅｔｕｐ  Ｒｅｑｕｅｓｔ」或いは「Ｘ２  Ｓｅｔｕｐ  Ｒｅｓｐｏｎｓｅ」において、情報要素「Ｓｅｒｖｅｄ  Ｃｅｌｌｓ」内の情報要素「Ｓｅｒｖｅｄ  Ｃｅｌｌ  Ｉｎｆｏｒｍａｔｉｏｎ」内の情報要素「Ｃｅｌｌ  ＩＤ」に、異なる「Ｈｏｍｅ  ｅＮＢ  ＩＤ」が含まれている場合であっても、かかる「Ｃｅｌｌ  ＩＤ」によって特定されるホームセルは、同一のホームセル用無線基地局ＨｅＮＢ＃２によって管理されているホームセルであると看做すように構成されていてもよい。
【００４６】
本実施形態に係る移動通信システムによれば、ホームセル用無線基地局ＨｅＮＢ＃１が、複数のホームセル＃１１/＃１２を管理する場合には、ホームセル用無線基地局ＨｅＮＢ＃１に対して、複数の「Ｈｏｍｅ  ｅＮＢ  ＩＤ（＃１１/＃１２）」を割り当て、また、ホームセル用無線基地局ＨｅＮＢ＃１が、移動管理ノードＭＭＥやゲートウェイ装置ＨｅＮＢ-ＧＷや周辺のホームセル用無線基地局ＨｅＮＢ＃２等に、かかる複数の「Ｈｏｍｅ  ｅＮＢ  ＩＤ（＃１１/＃１２）」を通知するように構成されているため、「Ｈｏｍｅ  ｅＮＢ  ＩＤ」のアドレス体系を変更することなく、ホームセル用無線基地局ＨｅＮＢが、複数のホームセルを管理することができる。
【００４７】
以上に述べた本実施形態の特徴は、以下のように表現されていてもよい。
【００４８】
本実施形態の第１の特徴は、マクロセル＃１を管理するマクロセル用無線基地局ｅＮＢ＃１及びホームセル＃１１/＃１２を管理するホームセル用無線基地局ＨｅＮＢ＃１が混在する移動通信システムであって、マクロセル＃１を識別するための「Ｃｅｌｌ  Ｉｄｅｎｔｉｔｙ（セル識別子）」は、マクロセル用無線基地局ｅＮＢ＃１に割り当てられている「Ｍａｃｒｏ  ｅＮＢ  ＩＤ（マクロセル用無線基地局識別子）」及びマクロセル用無線基地局ｅＮＢ＃１内でマクロセル＃１に割り当てられている「Ｍａｃｒｏ  Ｃｅｌｌ  Ｉｄｅｎｔｉｔｙ（マクロセル識別子）」のみによって構成されており、ホームセル＃１１/＃１２を識別するための「Ｃｅｌｌ  Ｉｄｅｎｔｉｔｙ」は、ホームセル用無線基地局ＨｅＮＢ＃１に割り当てられている「Ｈｏｍｅ  ｅＮＢ  ＩＤ（ホームセル用無線基地局識別子）」のみによって構成されており、ホームセル用無線基地局ＨｅＮＢ＃１が、複数のホームセル＃１１/＃１２を管理する場合、ホームセル用無線基地局ＨｅＮＢ＃１に対して、複数の「Ｈｏｍｅ  ｅＮＢ  ＩＤ」を割り当てるように構成されていることを要旨とする。
【００４９】
本実施形態の第１の特徴において、ホームセル用無線基地局ＨｅＮＢ＃１は、移動管理ノードＭＭＥ或いはゲートウェイ装置ＨｅＮＢ-ＧＷに対して、「Ｓ１  Ｓｅｔｕｐ  Ｒｅｑｕｅｓｔ（コネクション設定要求）」或いは「Ｓ１  ｅＮＢ  Ｃｏｎｆｉｇｕｒａｔｉｏｎ  Ｕｐｄａｔｅ（設定変更通知）」によって、割り当てられている複数の「Ｈｏｍｅ  ｅＮＢ  ＩＤ」を通知するように構成されていてもよい。
【００５０】
本実施形態の第１の特徴において、ホームセル用無線基地局ＨｅＮＢ＃１は、周辺の無線基地局ＨｅＮＢ＃２に対して、「Ｘ２  Ｓｅｔｕｐ  Ｒｅｑｕｅｓｔ（コネクション設定要求）」、「Ｘ２  Ｓｅｔｕｐ  Ｒｅｓｐｏｎｓｅ（コネクション設定応答）」或いは「Ｘ２  ｅＮＢ  Ｃｏｎｆｉｇｕｒａｔｉｏｎ  Ｕｐｄａｔｅ（設定変更通知）」によって、割り当てられている複数の「Ｈｏｍｅ  ｅＮＢ  ＩＤ」を通知するように構成されていてもよい。
【００５１】
本実施形態の第２の特徴は、ホームセル＃１１/＃１２を管理するホームセル用無線基地局ＨｅＮＢ＃１であって、ホームセル＃１１/＃１２を識別するための「Ｃｅｌｌ  Ｉｄｅｎｔｉｔｙ」を管理するように構成されている管理部１１を具備し、「Ｃｅｌｌ  Ｉｄｅｎｔｉｔｙ」は、ホームセル用無線基地局ＨｅＮＢ＃１に割り当てられている「Ｈｏｍｅ  ｅＮＢ  ＩＤ」のみによって構成されており、ホームセル用無線基地局ＨｅＮＢ＃１が、複数のホームセル＃１１/＃１２を管理する場合、管理部１１は、複数のホームセル＃１１/＃１２の各々に対応する複数の「Ｈｏｍｅ  ｅＮＢ  ＩＤ」を管理するように構成されていることを要旨とする。
【００５２】
本実施形態の第２の特徴において、移動管理ノードＭＭＥ或いはゲートウェイ装置ＨｅＮＢ-ＧＷに対して、「Ｓ１  Ｓｅｔｕｐ  Ｒｅｑｕｅｓｔ」或いは「Ｓ１  ｅＮＢ  Ｃｏｎｆｉｇｕｒａｔｉｏｎ  Ｕｐｄａｔｅ」によって、管理部１１によって管理されている複数の「Ｈｏｍｅ  ｅＮＢ  ＩＤ」を通知するように構成されているＳ１インターフェイス１２（第１インターフェイス）を具備してもよい。
【００５３】
本実施形態の第２の特徴において、周辺の無線基地局ＨｅＮＢ＃２に対して、「Ｘ２  Ｓｅｔｕｐ  Ｒｅｑｕｅｓｔ」、「Ｘ２  Ｓｅｔｕｐ  Ｒｅｓｐｏｎｓｅ」或いは「Ｘ２  ｅＮＢ  Ｃｏｎｆｉｇｕｒａｔｉｏｎ  Ｕｐｄａｔｅ」によって、管理部１１によって管理されている複数の「Ｈｏｍｅ  ｅＮＢ  ＩＤ」を通知するように構成されているＸ２インターフェイス１２（第２インターフェイス）を具備してもよい。
【００５４】
なお、上述の移動管理ノードＭＭＥやゲートウェイ装置ＨｅＮＢ-ＧＷやホームセル用無線基地局ＨｅＮＢやマクロセル用無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００５５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥやゲートウェイ装置ＨｅＮＢ-ＧＷやホームセル用無線基地局ＨｅＮＢやマクロセル用無線基地局ｅＮＢや移動局ＵＥ内に設けられていてもよい。また、かかる記憶媒体及びプロセッサは、ディスクリートコンポーネントとして移動管理ノードＭＭＥやゲートウェイ装置ＨｅＮＢ-ＧＷやホームセル用無線基地局ＨｅＮＢやマクロセル用無線基地局ｅＮＢや移動局ＵＥ内に設けられていてもよい。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５８】
ＵＥ…移動局
ＭＭＥ…移動管理ノード
ＨｅＮＢ-ＧＷ…ゲートウェイ装置
ＨｅＮＢ…ホームセル用無線基地局
ｅＮＢ…マクロセル用無線基地局
１１…管理部
１２…Ｓ１インターフェイス
１３…Ｘ２インターフェイス
【図１】
0005427728.tif 000002
【図２】
0005427728.tif 000003
【図３】
0005427728.tif 000004
【図４】
0005427728.tif 000005
【図５】
0005427728.tif 000006
【図６】
0005427728.tif 000007
【図７】
0005427728.tif 000008
【図８】
0005427728.tif 000009